(57)【要約】  テンタークリップ（１）から構成されるチェーンのための偏向装置（３）は、移動する材料ウェブの搬送のためのランニングローラ（２）と、スプロケット（４）と、テンタークリップ（１）のランニングローラ（２）のための少なくとも２つのトラック（６．１、６．２）を含むガイドレール（５）と、を備えている。２つのトラック（６．１、６．２）は、それぞれ、スプロケット（４）の回転軸と平行に、ガイドレール（５）の相互に反対に対面する側面上に配置されている。ガイドレール（５）は、チェーンを偏向するための少なくとも１つの湾曲区画（５．２）を有している。ガイドレール（５）の湾曲区画（５．２）には、接続要素（８、９、１０）が存在しており、接続要素（８、９、１０）によってガイドレール（５）が偏向装置（３）に接続されている。複数の接続要素（８、９、１０）は、ガイドレール（５）の湾曲区画（５．２）の少なくとも一部がスプロケット（４）に対して径方向に移動可能であるように、具現化されている。
2016532580.tif 000002
【特許請求の範囲】
【請求項１】
テンタークリップ（１）のチェーンのための偏向装置（３）であって、
移動する材料ウェブの搬送のためのランニングローラ（２）と、
スプロケット（４）と、
前記テンタークリップ（１）の前記ランニングローラ（２）のための少なくとも２つのトラック（６．１、６．２）を含むガイドレール（５）と、
を備え、
前記２つのトラック（６．１、６．２）は、それぞれ、前記スプロケット（４）の回転軸と平行に、前記ガイドレール（５）の互いに反対方向を向いた２つの側面上に配置されており、
前記ガイドレール（５）は、前記チェーンを偏向するための少なくとも１つの湾曲区画（５．２）を有し、
前記ガイドレール（５）の前記湾曲区画（５．２）には、接続要素（８、９、１０）が存在し、当該接続要素（８、９、１０）によって前記ガイドレール（５）が当該偏向装置（３）に接続され、
複数の接続要素（８、９、１０）は、前記ガイドレール（５）の前記湾曲区画（５．２）の少なくとも一部が前記スプロケット（４）に対して径方向にスライド可能であるような態様で、具現化されている
ことを特徴とする偏向装置（３）。
【請求項２】
前記複数の接続要素（８、９、１０）は、前記ガイドレール（５）の少なくとも一部が前記スプロケット（４）に対して接線方向にスライド可能であるような態様で、具現化されている
ことを特徴とする請求項１に記載の偏向装置（３）。
【請求項３】
前記ガイドレール（５）の直線区画（５．３）が、当該ガイドレール（５）の前記湾曲区画（５．２）に繋がっており、
前記直線区画（５．３）は、当該偏向装置（３）に、前記ガイドレール（５）の長手方向にスライド可能に接続されている
ことを特徴とする請求項２に記載の偏向装置（３）。
【請求項４】
前記ガイドレール（５）の前記湾曲区画（５．２）に平行に延在する湾曲区画（９．１）を有するレール保持部材（９）を更に備え、
前記ガイドレール（５）は、前記レール保持部材（９）を介して当該偏向装置（３）に接続されている
ことを特徴とする請求項１乃至３のいずれかに記載の偏向装置（３）。
【請求項５】
複数の接続要素（８、９、１０）は、長手方向を有するスタッド（８）として具現化されており、
前記スタッド（８）は、それらの長手方向が前記スプロケット（４）の径方向に延在するような態様で前記レール保持部材（９）上に装着されている
ことを特徴とする請求項４に記載の偏向装置（３）。
【請求項６】
前記スタッド（８）は、それらの長手方向にスライド可能に支持されている
ことを特徴とする請求項５に記載の偏向装置（３）。
【請求項７】
前記ガイドレール（５）は、それが前記スタッド（８）に対してスライド可能であるような態様で、当該スタッド（８）に接続されている
ことを特徴とする請求項５に記載の偏向装置（３）。
【請求項８】
更なる複数のクランプ要素（１０）が接続要素（８、９、１０）として設けられており、当該複数のクランプ要素（１０）を介して前記ガイドレール（５）が前記スタッド（８）に接続されている
ことを特徴とする請求項７に記載の偏向装置（３）。
【請求項９】
前記クランプ要素（１０）及び前記スタッド（８）は、当該クランプ要素（１０）が当該スタッド（８）に対してそれらの長手方向またはその横断方向にスライド可能であるような態様で、具現化されている
ことを特徴とする請求項８に記載の偏向装置（３）。
【発明の詳細な説明】
【技術分野】
【０００１】
本発明は、移動する材料ウェブを搬送するためのランニングローラを有する、テンタークリップチェーンのための偏向装置に関する。
【背景技術】
【０００２】
材料ウェブの引っ張りまたは引き伸ばしのためのプラントまたは装置において、無限に回転し材料ウェブの両側で長手方向に配置されるテンタークリップチェーンを形成するために、複数のテンタークリップが組み付けられる。材料ウェブは、テンタークリップによって、引っ張りまたは引き伸ばし機を通じて搬送される。
【０００３】
そのような装置は、例えば、ＤＥ  ３４  ４３  ９０５  Ｃ２にて説明されている。そのような装置は、プラスチックフィルムの製造において利用されているが、他の分野、例えば織物のウェブを引っ張るためにも利用されている。一般に、テンタークリップは、材料ウェブをしっかりとクランプするための機構と、チェーンを形成するために個々のテンタークリップを接続するための要素と、ガイドレール上でのテンタークリップの鉛直方向及び水平方向のガイドのためのランニングローラと、を含んでいる。典型的には、テンタークリップのランニングローラ及びガイドレールは、材料ウェブの平面内でテンタークリップの支持または支えがガイドレールの互いに反対方向を向いた２つの側面に配置された２つのトラック上で達成されるように具現化ないし構成されている。
【０００４】
装置の出口では、テンタークリップは、材料ウェブを解放する。そこでは、無限のテンタークリップチェーンが駆動され、更なるガイドシステムを介して偏向されスタート地点に戻ってくる、という領域が提供される。チェーンホイールまたはスプロケットの上方の装置の出口におけるテンタークリップチェーンの偏向は、とりわけ、大きなトラック力（track force）を伴って高速で動作している装置において、テンタークリップの運動において障害を引き起こす。これらの問題は、例えば、ガイドレールの直線区画から偏向領域内への搬送において（例えばＤＥ  １３  ０３  ８７０  Ｃ２）、または、摩耗に起因するテンタークリップチェーンのチェーンピッチの誤差もしくは欠陥によって（例えばＤＥ  ３４  ４３  ９０５  Ｃ２）、生じる。
【０００５】
テンタークリップの運動の障害は、構成部品の許容誤差に起因しても生じる。真っ直ぐに延在するトラック区画におけるガイドレールとランニングローラとの間のそのような許容誤差を補償するために、ガイドレール内にて弾性を有する中間要素によって２つのトラック間の離間距離を適合させることが、ＥＰ  ０  ７６０  ７４０  Ｂ１で提案されている。
【０００６】
本発明の目的は、偏向の領域において障害がほとんど生じない、テンタークリップチェーンのための偏向装置を提供することである。そのような障害とは、許容誤差または摩耗により誘発されるチェーンピッチ誤差によって引き起こされるものである。
【発明の概要】
【０００７】
前記目的は、独立請求項による、移動する材料ウェブの搬送のためのランニングローラを有する、テンタークリップチェーンのための偏向装置によって、達成される。
【０００８】
偏向装置は、一般に知られているが、ガイドレール上に沿って回転するランニングローラを有するテンタークリップチェーンの偏向のために、機能する。典型的には、テンタークリップは、複数の要素を有しており、この要素によって、テンタークリップチェーンを形成するように個々のテンタークリップが互いに接続されている。偏向装置は、チェーンホイールまたはスプロケットを含んでおり、これは、テンタークリップチェーンのチェーンリンクまたはチェーンピン内に係合するように、配置されている。スプロケットは、モータ駆動によって駆動され得る。更に、テンタークリップのランニングローラのための少なくとも２つのトラックを有するガイドレールが、偏向装置上に設けられている。２つのトラックは、それぞれ、ガイドレールの２つの互いに反対方向を向いた側面上に配置されている。これらの２つのトラックは、スプロケットの回転軸と平行に延在している。トラックは、テンタークリップ上の力を吸収するように作用する。この力は、移動する材料ウェブの平面と平行でそれぞれ反対方向において影響を及ぼす。本実施の形態を通じて、本実施の形態は一般に次のように知られているが、例えば引っ張り装置においては、材料ウェブの張力がしっかりと確実にそれらのランニングローラによって吸収され、その一方で、減少された張力または動的な力を伴う領域においては、それは反対方向に影響を及ぼし、力の支持ないし支えが２つのトラックのうちの他方に沿って回転するランニングローラを介して達成される。ここで、ランニングローラは２つのトラックのうちの１つに対して支持ないし支えられている。もちろん、更なるランニングローラ及びトラックが設けられ得て、それを越えて前述の力が分配される、あるいはそれが更なる力、例えば移動する材料ウェブの平面に実際に直交するそのような力を、吸収する。
【０００９】
テンタークリップチェーンを偏向させるために、ガイドレールは、少なくとも１つの曲げられたまたは湾曲した区画を有している。引き伸ばし装置の実施の形態に応じて、それは、例えば、９０°未満の、９０°の、１８０°の、または、１８０°より大きな偏向であり得る。１以上のそのような偏向を通じて、無限テンタークリップチェーンが、例えば引き伸ばし装置の終端で材料ウェブの移動方向に沿った方向から当該材料ウェブの移動方向とは反対の方向へと偏向される。
【００１０】
本発明による偏向装置は、ガイドレールの曲げられたまたは湾曲した区画の少なくとも一部がスプロケットに対して径方向にスライド可能である。
【００１１】
この目的のため、接続要素が設けられ、当該接続要素を通じてガイドレールが偏向装置に接続されている。これらの接続要素のいくつかは、ガイドレールまたはガイドレールの一部における径方向へのスライド可能性が保証されるような態様で、具現化ないし構成されている。
【００１２】
スプロケットの領域内でのガイドレールの径方向のスライド可能性を通じて、ガイドレールのより大きなまたはより小さな曲率（湾曲部の半径）が、ガイドレールの湾曲区画内で、ある限度内で、達成され得る。この点で、接続要素の構造は、装置の運転動作中においても径方向のスライド移動が区画方向に、すなわち湾曲区画の周囲全体に亘って生じ得るように、具現化されている。これにより、テンタークリップチェーンの（例えば摩耗に起因する）変化したピッチに対して、独立のまたは自動の適応が達成され得る。これは、例えばチェーンリンクにおける許容誤差に起因して、テンタークリップチェーンの様々な異なる区画内で異なる大きさでさえあり得る。
【００１３】
スプロケットの領域内でガイドレールの径方向へのスライド可能性を支援するために、径方向のスライド可能性に加えてガイドレールの接線方向へのスライド可能性がガイドレールの湾曲区画の領域内で保証されていれば、特に有利である。これは、ガイドレールが、その湾曲区画内で、区画に沿った態様で、すなわち湾曲区画の全体の円周に渡って、ある限度内で、円周方向、従ってスプロケットに関する接線方向、にもスライド可能であるということを意味する。これは、偏向がより大きな偏向角度で生じる時、または、ガイドレールがわずかに弾性を有しているのみであり径方向のスライド可能性のために接続要素が近距離で配置されている時に、特に好適である。
【００１４】
そのような接線方向のスライド可能性を保証するために、例えば、ガイドレールと偏向装置との間で、スプロケットに対するガイドレールの接線方向のスライドが可能であるような態様で、複数の接続要素が具現化または構成され得る。これらは、同一の接続要素であり得て、これらの接続要素によって径方向のスライドが可能とされ、更には、相応して他の接続要素が接線方向のスライド可能性のために適合され得る。
【００１５】
そのようなスライド可能性を達成するために、ガイドレールがそれ自体に何らかの弾性を有していることが、有利であり得る。径方向または接線方向における自由度（すなわち遊び）がガイドレールと偏向装置との間の接続要素上に設けられるならば、当該ガイドレールは、それ自身の自己弾性によって、ある定められた規定位置―しかしながら当該位置は、より大きな力の影響下で変化し得る―にて保持されるであろう。この目的のためのガイドレールの自己弾性が好適に選択され得ないならば、接続要素上にバネ弾性スペーサ部材を設けることも考えられる。当該バネ弾性スペーサ部材は、ガイドレールの基本位置を固定し、より大きな力の影響下で弾性的に屈曲し、これによりガイドレールの径方向及び／または接線方向のスライド移動を許容する。
【００１６】
更なる実施の形態では、ガイドレールの直線区画がガイドレールの湾曲区画に隣接し、当該直線区画がガイドレールの長手方向にスライド可能であるように偏向装置に接続されている。この配置により、ガイドレールの湾曲区画の一端が偏向装置にしっかりと接続することが可能になる一方で、他端が湾曲区画内でガイドレールの径方向及び／または接線方向のスライド移動に適応することが可能である。
【００１７】
ガイドレールは、例えば、矩形のスプリングスチールバンドや、複数のスプリングバンドによるスプロケット等、既知のタイプ及び態様で具現化され得る。
【００１８】
ガイドレールと偏向装置との間の接続は、典型的にはレールキャリアによって達成される。レールキャリアがガイドレールの湾曲区画と平行に延在する湾曲区画を有していれば、有利である。本実施の形態を通じて、レールキャリアは、ガイドレールと平行に、且つ、例えばスプロケットの一方が他方の上にある２つのリングまたはホイールの間に、配置され得る。典型的には、追加的にチェーンローラまたはチェーンピンがテンタークリップ上に存在し、これらのチェーンローラまたはチェーンピンがスプロケットのまわりを偏向する間に当該スプロケットの歯に係合するので、レールキャリアの前述の実施の形態は、テンタークリップの小型の構造とガイドレールの安定的な支持とを達成する。更に、レールキャリアは、矩形またはＴ形のプロファイルないし断面の部材として具現化され得る。
【００１９】
接続要素は、例えば、長手方向を有するシャフト片、ピン、またはスタッドとして具現化され得て、この点に関し、スタッドの当該長手方向は、本質的に、スプロケットの半径方向に延在している。
【００２０】
この点に関し、例えば、スタッドを受容するための孔がレールキャリア内に存在している。しかしながら、レールキャリア上にスタッドを固定する他の態様、例えば、突合せ溶接、または様々な異なるタイプの固定または係止の組合せも、考えられ得る。
【００２１】
ガイドレールは、スタッドに対してスライド可能であるような態様で、スタッドに接続され得る。それは、ピンの長手方向へのスライドであり得るが、スタッドの長手方向を横断する、従って周方向の、ガイドレールの湾曲区画の接線方向への、スライドでもあり得る。
【００２２】
しかしながら、複数のスタッドがそれらの長手方向にスライド可能に支持される場合、有利な実施の形態がもたらされる。この場合、スタッドに接続されたガイドレールの正確なガイドが径方向において保証されるように、スタッドの長さ及びそれに伴うガイド長さが相対的に大きく選択され得る。
【００２３】
とりわけ、スプロケットに対するがガイドレールの接線方向のスライドが依然として実現される場合、複数のスタッド上にクランプ要素が設けられ、そのクランプ要素によってガイドレールがスタッドに接続されるならば有利である。これらのクランプ要素は、例えば、２部材のクランプジョーとして具現化され得て、一方部分のクランプジョーがそれぞれのスタッド上にしっかりと装着される一方、他方部分のクランプジョーは、ガイドレールがその長手方向、従ってスプロケットの接線方向、にスライド可能であるように、ガイドレールが２つの部分のクランプジョーの間に保持されるような態様で、最初のクランプジョー上に固定される。
【００２４】
径方向のスライド及び接線方向のスライドはまた、もちろん、スタッド及びクランプ要素がスタッドに対して、そこにクランプされたガイドレールと共にクランプ要素のスライドを可能にするような態様で具現化または構成されて、達成され得る。
【００２５】
本発明による偏向装置の保証されたまたは信頼性がある機能化のために、スライドの大きさないし程度が制限されていれば、更に好都合である。これは、例えば、接続要素またはガイドレールのスライド経路の領域内の接触停止部（contact stops）によって、可能とされ得る。
【図面の簡単な説明】
【００２６】
【図１】本発明による偏向装置の一実施の形態のＡ−Ａ断面の図である。
【図２】図１の実施の形態のＢ−Ｂ断面である。
【図３】図１における切り抜き部Ｃに略対応する図における、更なる実施の形態の断面図である。
【図４】図１のＤ−Ｄ図である。
【発明を実施するための形態】
【００２７】
図１は、チェーンホイールまたはスプロケット４と、ガイドレール５とを有する偏向装置の一実施の形態を示している。ガイドレール５は、直線区画５．１、５．３と湾曲区画５．２とを有している。テンタークリップ１のチェーンは、破線の輪郭で矩形の列として示されている。テンタークリップチェーンは、ガイドレール５の第１直線区画から始まり、当該ガイドレール５の第２直線区画５．３上へと、スプロケット４の周りをガイドレール５の湾曲区画５．２を越えて偏向される。ここで、スプロケット４が回転する間、テンタークリップ１は矢印の方向に移動する。本実施の形態では、９０°の偏向が生じる。図示されていない更なる偏向装置は、テンタークリップチェーンを、例えば、更に約９０°偏向させ、当該テンタークリップチェーンは最終的にそのスタート地点に再び戻るようにガイドされ得る。通常、第２の図示されていない偏向装置では、スプロケット４は必要ではなく、直線区画及び湾曲区画を有する更なるガイドレールのみが必要とされる。スプロケット４は、一方が他方の上に配置された歯が形成された２つの部分を有している。図１において、スプロケット４上には、底部に歯が設けられたリングないしホイールの３つの個々の歯のみが図示されている。
【００２８】
図１に示されている偏向装置のガイドレール５は、複数のクランプ要素１０及びスタッド８によって、レールキャリア９に接続されている。レールキャリア９は、ガイドレール５の湾曲区画５．２と平行に延在する湾曲区画９．１を有している。すなわち、レールキャリア９は、スプロケット４の周りを湾曲している。レールキャリア９は、偏向装置３の装置フレーム１１上に固定または係止されている。
【００２９】
図２は、図１のＢ−Ｂ断面図を示している。更に、図２には、断面線Ａ−Ａが記されており、これは図１のＡ−Ａ図の切断線の位置を示している。
【００３０】
図２は、破線の輪郭線でテンタークリップ１の幾つかの要素を示している。そのようなテンタークリップ１は、先行技術によって知られている。しかしながら、本発明の理解を可能にするために、そのような要素がここで繰り返し説明される。テンタークリップ１は、全体として、材料ウェブをしっかりとクランプするためのクランプまたはフラップ機構１．１を含んでいる。テンタークリップに対して材料ウェブが延在する平面が、７で示されている。偏向装置３の領域において、フラップ１．１は、材料ウェブが偏向されておらず、むしろ直線的に延在しているため、開かれている。
【００３１】
更に、チェーンを形成するように個々のテンタークリップ１を接続するための要素が、テンタークリップ１上に存在している。それらは、ここでは互いに上下に存在している２列のチェーンピン１．２として図示されており、これらは、隣接するテンタークリップ１のチェーンピン１．２を有するリンクプレート１．３によって接続されている。チェーンピン１．２は、スプロケット４の歯が形成され一方が他方の上に存在する２つのリングないしホイール内に、係合している。テンタークリップ１は、ガイドレール５上の当該テンタークリップ１の鉛直方向及び水平方向のガイドのためのランニングローラを、有している。本発明の範囲では、テンタークリップ１のランニングローラ２とガイドレール５とは、テンタークリップ１の支持が、水平方向においてガイドレール５の互いに反対方向を向いた側面上に配置されたトラック６．１、６．２上で行われるように、具現化ないし構成されている。本実施の形態では、ガイドレール５は、複数のスプリングバンドの束（パケット）として具現化されている。２つのトラックのうちの１つ６．１は、フラップ機構１．１から離れる方を向いてガイドレール５の側面上に存在している。それは、偏向装置３の領域内でスプロケット４の方を向いているガイドレールの側面である。スプロケット４の方を向いているトラック６．１は、平面７内で関連するランニングローラ２を介して材料ウェブの張力を吸収する。他方のトラック６．２は、スプロケット４から離れる方を向いてガイドレール５すなわちスプリングの束の側面上に存在している。このトラック６．２及び関連付けられたランニングローラ２を介して、力学的な加速力が支援ないし支持される。この力学的な加速力は、材料ウェブの張力の反対を向く方向においてテンタークリップ１上に作用する。本実施の形態では、一対のランニングローラ２を介して前述の力が支援ないし支持されるように、ガイドレール５のトラックの２つの側面６．１、６．２の各々の上で、それぞれ２つのトラック６が上下に配置されている。
【００３２】
本実施の形態では、一方が他方の上にある２つのランニングローラ２の間に、接続要素８、９、１０が配置されている。この接続要素８、９、１０によって、ガイドレール５が残りの偏向装置３に接続されている。図１及び図２による実施の形態では、接続はＴ形のレールキャリア９によって達成されている。レールキャリア９には開口が設けられている。当該開口内では、複数のスタッド８が、スプロケット４の径方向であるその長手方向にスライド可能であるように、支持されている。スタッド８の一端には、スプロケット４の回転点から径方向外側へのスライド移動を制限するための接触停止部として作用する、段付き肩部（stepped shoulder）が設けられている。クランプ要素１０としてのそれぞれ２つのクランプジョーが、スタッド８の他方の端部上に固定されており、クランプ要素は、それらの間に離れた空間を残しており、その内部に、ガイドレール５が所定の半径位置にて保持されている。２つのクランプジョー１０は、スクリュー１４．１を介して互いに張力がかけられている。２つのクランプジョー１０の間の空間は、それぞれ、ガイドレール５がスタッド８の長手方向において当該クランプジョー１０に対して固定される一方、横断方向において関連するスタッド８に対するガイドレール５のスライド移動が可能であるように、寸法決めされている。このため、クランプジョー１０の領域において、ガイドレール５は、それぞれ、長孔またはスロット孔を有しており、当該長孔またはスロット孔は、スプロケット４の接線方向へのガイドレール５のスライド移動を、可能にする。更に、スタッド８は、径方向内側へのスタッド８のスライド移動を制限するように機能する、更なる接触停止部を有している。図２は、スタッド８またはガイドレール５のスタート位置を示している。この位置において、テンタークリップチェーンのピッチの変化は何も生じていない。チェーンのピッチの段階的で進行的な拡大の際、すなわち、リンクプレート１．３上の張力下でガイドレール５の長手方向におけるテンタークリップ１からテンタークリップ１までの離間距離の段階的で進行的な拡大の際、ガイドレール５の径方向位置の適合無しで、スプロケット４とテンタークリップ１のチェーンピン１．２との間の始終増大する係合の障害を生じさせる。ガイドレール５の外側に向かう径方向の移動という本発明の可能性によって、スプロケット４上を延び、チェーンピン１．２が沿うピッチ円（pitch circle）が拡大される。この点に関し、ピッチ円は、変化したチェーンピッチが変化した当該ピッチ円に力学的に係合または嵌合する限り、拡大される。この態様においては、スプロケット４とテンターチェーンとの間の歯の係合における前述の係合の障害が、回避される。
【００３３】
図３は、本発明による偏向装置の更なる実施の形態を示している。図３は、図１に示されている切り抜き部Ｃに概略的に対応する切り抜き部を示している。しかしながら図３においては、特にはスタッド８の長手方向を通過する平面において、切断線が図１の切断線Ａ−Ａに対して平行にオフセットされて延びている。
【００３４】
図３において、本実施の形態のスタッドは、レールキャリア９に対して当該スタッドの長手方向にはスライド可能でないということが分かる。実際、ここでは、複数のクランプジョー１０がそれぞれ関連するスタッド８上を当該スタッド８の長手方向、従ってスプロケット４の径方向、にスライド可能である。スタッド上に装着ないし配置されている２つの接触停止部は、スライド移動の大きさのために、相互補完的な接触停止部として機能する。更に、本実施の形態では、スタッド８の長手方向を横断するガイドレールのスライド移動が可能である。これは、特には、ここではガイドレール５の厚みに対する２つのクランプジョー１０の間の隙間が、ガイドレール５の単なる案内ではないが強固なクランプでもないことが達成されるように、寸法決めされているからである。同様に、前述の実施の形態のように、ガイドレール５がクランプジョー１０の各ペア上に、対応する長孔またはスロット孔を有している。
【００３５】
図４は、図１による実施の形態のＤ−Ｄ部分の図を示している。この位置では、本装置の隣接領域において、ガイドレール５の直線区画５．３がガイドレールの直線区画５．４へと遷移している。この遷移では、ガイドレール５の直線区画５．３は、接続要素１２、１３、１４．２によって、及び、装置フレーム１１によって、ガイドレール５の長さ方向におけるスライド可能性が与えられるような態様で、偏向装置３に接続されている。このことを可能にするために、スペーサスリーブ１３の長さ、及び、接続レール１２と装置フレーム１１の係止ないし接続要素との間のスペース距離が、カシメネジ１４．２を用いて、長手方向におけるガイドレール５のスライド移動が依然として可能であるように、寸法決めされている。この点に関し、テンタークリップ１のランニングローラ２が、段差またはオフセット肩部上に捕らえたれたり積み重なったりすることなく、区画５．３から区画５．４までの搬送においても接続レール１２の上下方向に沿って延び得るように、近くのまたは隣接するガイドレール５．４への搬送が、２つのガイドレール区画５．３、５．４の対応する補完的なプロファイリングを介して具現化されている。
【符号の説明】
【００３６】
１，１．１，１．２  テンタークリップ
２  ランニングローラ
３  偏向装置
４  スプロケット
５．１，５．２，５．３，５．４  ガイドレール
６．１，６．２  トラック
７  材料ウェブの移動面
８  スタッド
９，９．１  レールキャリア
１０  クランプ要素
１１  装置フレーム
１２  接続レール
１３  スペーサスリーブ
１４．１，１４．２  クランプスクリュー
【図１】
2016532580.tif 000003
【図２】
2016532580.tif 000004
【図３】
2016532580.tif 000005
【図４】
2016532580.tif 000006
【国際調査報告】
2016532580.tif 000007
2016532580.tif 000008
2016532580.tif 000009
2016532580.tif 000010